(57)【要約】【課題】  配電盤、各種メーターボックス、工作機械や医療機器等の操作ボックス等の扉の開く向きが、左右何れの側にも容易に開放できると共に、必要な時は扉を容易に外すことも可能な扉とする。【解決手段】  扉１の左右両側にそれぞれハンドル３付きの回転軸４により回動する回動板５を設ける。回動板５に回動板５の回動で上下方向逆向きに移動する上部リンク６及び下部リンク１０の基端側をそれぞれ回動可能に連結する。上部リンク６及び下部リンク１０の先端部に扉１に設けた上下の棒軸８、１２の基端部を回動可能に連結する。上部棒軸８及び下部棒軸１２を扉１側から本体２の上下の受け孔１５、１７に上下のガイド１８、１９に沿って垂直方向に移動可能に設ける。上部棒軸８及び下部棒軸１２の先端部を本体２の上下の受け孔１５、１７に挿脱可能に係止する。【選択図】  図１
0003104519.tif 000002
【実用新案登録請求の範囲】
【請求項１】
扉の左右両側にそれぞれハンドル付きの回転軸により回動する回動板が設けられ、この回動板に回動板の回動で上下方向逆向きに移動する上部リンク及び下部リンクの基端部がそれぞれ回動可能に連結されると共に、上部リンク及び下部リンクの先端部に扉に設けた上部棒軸及び下部棒軸の基端部が回動可能に連結され、この上部棒軸及び下部棒軸は扉側から本体の上部受け孔及び下部受け孔にガイドに沿って垂直に移動可能に設けられ、上部棒軸及び下部棒軸の先端部が本体の上部受け孔及び下部受け孔に挿脱可能に係止されていることを特徴とする両側に開放する扉。
【考案の詳細な説明】
【技術分野】
【０００１】
本考案は、扉の開く向きが左右何れの側にも開放できると共に、必要な時は扉を取り外すことも可能な扉に関するものである。
【背景技術】
【０００２】
配電盤、各種メーターボックス、工作機械や医療機器等の操作ボックス等の扉は、左右何れか一方の側にしか開かない場合は、設置場所によっては備品の配置や作業者の位置によって作業がし難い等不便な事が多かったのである。
そこで、扉を何れの側にも開放できるようにした構造として、従来に特開平９−２６４０９０の屋外・屋内双方に全面開放する窓構造、及び特開平９ー３０２９１０の天井点検口が既に提案されている。
【０００３】
特開平９ー２６４０９０の窓構造は、ピニオンに噛み合うラックで、窓枠に出没可能なように上ラック軸と下ラック軸を窓面内に設けたものであるため、ピニオンの直径とこれに噛み合う両ラック軸の厚さ分の窓の厚さが必要となるものである。
【０００４】
又、特開平９ー３０２９１０の天井点検口は、扉の開く向きを変える場合は、扉を取り外し、向きを変えた状態で再び取り付けて使用するものであるから、不便さが伴うものである。
【考案の開示】
【考案が解決しようとする課題】
【０００５】
上記点より本考案は、配電盤、各種メーターボックス、工作機械や医療機器等の操作ボックス等の扉の開く向きが左右何れの側にも容易に開放できると共に、必要な時は扉を容易に外すことも可能な扉を提供しようとするものである。
【課題を解決するための手段】
【０００６】
上記課題を解決するため本考案の両側に開放する扉は、扉の左右両側にそれぞれハンドル付きの回転軸により回動する回動板が設けられ、この回動板に回動板の回動で上下方向逆向きに移動する上部リンク及び下部リンクの基端部がそれぞれ回動可能に連結されると共に、上部リンク及び下部リンクの先端部に扉に設けた上部棒軸及び下部棒軸の基端部が回動可能に連結され、この上部棒軸及び下部棒軸は扉側から本体の上部受け孔及び下部受け孔にガイドに沿って垂直に移動可能に設けられ、上部棒軸及び下部棒軸の先端部が本体の上部受け孔及び下部受け孔に挿脱可能に係止されていることを特徴とするものである。
【０００７】
このような構成とすることにより、扉の開放する側のハンドルを把持して回動板を上部リンクが下方ヘ、下部リンクが上方へ移動する方向へ回動させ、上部棒軸及び下部棒軸の先端部を本体の上部受け孔及び下部受け孔より同時に抜脱すれば、係止が解除され、扉の反対側の棒軸を軸として扉は回動し開放される。上部棒軸及び下部棒軸の移動はガイドにより垂直方向に移動する。
【０００８】
そして、開放した扉を閉鎖し、同じ側のハンドルを把持して回動板を逆方向へ回動させ、上部リンクを上方へ、下部リンクを下方へ移動させ、上方棒軸及び下部棒軸の先端部を本体の上部受け孔及び下部受け孔に同時に挿通すれば、上部棒軸及び下部棒軸は本体の上部受け孔及び下部受け孔に係止され、扉はロックされる。
【０００９】
扉の反対側を開放、又は開放した扉を閉鎖しロックする時は、反対側のハンドルを把持して前同様の操作を行う。
【００１０】
扉を取り外す時は、先ず一方の側のハンドルを把持して回動板を上部リンクが下方へ、下部リンクが上方へ移動する方向へ回動させ、上部棒軸及び下部棒軸の先端部を本体の上部受け孔及び下部受け孔より同時に抜脱した後、他方の側のハンドルを把持して操作し、同様に上部棒軸及び下部棒軸の先端部を本体の上部受け孔及び下部受け孔より抜脱すれば、扉は両側の係止が解除されるから、容易に取り外すことが可能となる。
【考案の効果】
【００１１】
本考案両側に開放する扉によれば、扉は扉を開放したい側のハンドルを把持して回動するだけの簡単な操作で、容易に左右何れの側への開放も自在であるから、備品の配置や作業者の位置によって所望する側へ扉の開く向きを選択できると共に、扉の回動方向側に障害物等がある場合等、必要な時は扉を容易に取り外すこともでき、利便性が格段に向上した。
したがって、本考案扉を配電盤、各種メーターボックス、工作機械や医療機器等の操作ボックス等の扉に使用すれば好適なものとなる。
【考案を実施するための最良の形態】
【００１２】
以下、本考案の一実施の形態を図面に基づき説明する。
図１は本考案両側に開放する扉の一方の側に開いた一部を切り欠いた内側正面図、図２は同上の閉鎖時の部分拡大縦断側面図、図３乃至図５は扉の作用を示す平面図である。
【００１３】
図中１は本体２に取り付けられた扉であり、この扉１は扉１の表側の左右両側にハンドル３が取り付けられ、このハンドル３の回転軸４が扉１の内側に突出し、回転軸４の突出部に円形の回動板５の中央部がそれぞれ固着されている。
本体２は、配電盤、各種メーターボックス、工作機械や医療機器等の操作ボックス等が挙げられる。
両側のハンドル３は、扉１の閉鎖時は扉１内に折り畳まれるように公知の構成で形成されている。
【００１４】
両側の回動板５に回動板５の同一平面上で、回転軸４を挾んだ対向位置に一方の側に上部リンク６の基端部が回動可能にピン７で止着され、上部リンク６の先端部は扉１の上部側に設けた断面が円形の上部棒軸８の基端部に回動可能にピン９でそれぞれ連結されている。
上部リンク６は、図面では基端部が円弧状に屈曲しているが、全体が真直ぐに形成されてもよい。
【００１５】
又、両側の回動板５の他方の側に、上部リンク６と同一形状及びサイズの下部リンク１０の基端部が回動可能にピン１１で止着され、下部リンク１０の先端部は扉１の下部側に設けた断面が円形の下部棒軸１２の基端部にピン１３でそれぞれ連結されている。
【００１６】
上部リンク６及び下部リンク１０は、回動板５の回動により上下方向逆向きに同時に移動し、これと連結する上部棒軸８及び下部棒軸１２を移動する。
上部棒軸８及び下部棒軸１２は垂直方向に移動し、上部棒軸８は扉１の上部に設けた上部挿通孔１４から先端部が突出して、上部挿通孔１４と対向位置に設けた本体２の上部受け孔１５に挿脱可能に係止され、下部棒軸１２は扉１の下部に設けた下部挿通孔１６から先端部が突出して、下部挿通孔１６と対向位置に設けた本体２の下部受け孔１７に挿脱可能に係止される。
【００１７】
両側の上部棒軸８及び下部棒軸１２の垂直移動は、扉１の内側の両側部に上部と下部にそれぞれ２箇ずつ間隔をおいて板状の上部ガイド１８及び板状の下部カイド１９が扉面に直交して固着され、上部ガイド１８及び下部カイド１９に挿通孔１８ａ、１９ａが穿設されている。
【００１８】
上部ガイド１８の挿通孔１８ａに上部棒軸８が、又下部カイド１９の挿通孔１９ａに下部棒軸１２がそれぞれ挿通されており、両挿通孔１８ａ、１９ａは扉１の上部挿通孔１４及び下部挿通孔１６と同一垂直線上に配設されている。
これにより、上部棒軸８及び下部棒軸１２は垂直方向に移動すると共に、扉１は上部棒軸８及び下部棒軸１２を回転軸として回動する。
尚、左右両側の回動板５、上部リンク６、下部リンク１０、上部棒軸８、下部棒軸１２、上部ガイド１８、下部ガイド１９は左右対称に配設される。
【００１９】
このような構成を有する扉を開放する場合は、図３に示すように、扉１の左側を開放するには、扉１の左側のハンドル３を起こして時計と反対回りに９０°回動させて、回動板５の回動により上部リンク６を下方へ、下部リンク１０を上方へ同時に移動し、上部棒軸８及び下部棒軸１２の先端部を本体の上部受け孔１５及び下部受け孔１７から抜脱して係止を解除すれば、扉１は右側の上部棒軸８及び下部棒軸１２を回転軸として回動し開放できる。尚、図１は扉１の左側を開放した内側を示している。
【００２０】
そして、扉１を閉鎖しロックする場合は、開放した扉１を閉じ、ハンドル３を時計回りに９０°回動させて、回動板５の回動により上部リンク６を上方へ、下部リンク１０を下方へ同時に移動すれば、上部棒軸８及び下部棒軸１２の先端部が本体の上部受け孔１５及び下部受け孔１７に挿通し係止され、扉１はロックされる。その後、扉１内にハンドル３を折り畳む。
【００２１】
次に、図４に示すように、扉１の右側を開放するには、扉１の右側のハンドル３を起こして、時計回りに９０°回動させて前同様の理により開放し、又閉鎖しロックする場合は、扉１を閉じ、ハンドル３を時計と反対回りに９０°回動させて前同様の理によりロックする。
【００２２】
次に、図５に示すように、扉１を取り外すには、左右何れか一方の側のハンドル３を起こして前同様に操作して、扉１の上部棒軸８及び下部棒軸１２の先端部を本体２の上部受け孔１５及び下部受け孔１７から抜脱して係止を解除した後、今度は反対側のハンドル３を起こして前同様に操作して、扉１の上部棒軸８及び下部棒軸１２の先端部を本体２の上部受け孔１５及び下部受け孔１７から抜脱して係止を解除すれば、扉１は取り外しが可能となる。
【００２３】
以上本考案を実施の形態に基づき具体的に説明したが、本考案は上記の実施形態に何ら限定されるものではなく、例えば、ハンドル３は必ずしも折り畳まれるものでなくても良く、回動板５の形状も円形に限定されず、長方形等適宜に選択できる等、本考案の趣旨を逸脱しない範囲で種々の改良変形が可能である。
【図面の簡単な説明】
【００２４】
【図１】本考案扉が一方の側へ開放時の一部を切り欠いた内側正面図である。
【図２】本考案扉の閉鎖時の部分拡大縦断側面図である。
【図３】本考案扉の一方の側へ開放途中の状態を示す平面図である。
【図４】本考案扉の他方の側へ開放途中の状態を示す平面図である。
【図５】本考案扉の取り外した状態を示す平面図である。
【符号の説明】
【００２５】
１  扉
２  本体
３  ハンドル
４  回転軸
５  回動板
６  上部リンク
８  上部棒軸
１０  下部リンク
１２  下部棒軸
１５  上部受け孔
１７  下部受け孔
１８  上部ガイド
１９  下部ガイド
【図１】
0003104519.tif 000003
【図２】
0003104519.tif 000004
【図３】
0003104519.tif 000005
【図４】
0003104519.tif 000006
【図５】
0003104519.tif 000007